【手続補正書】
【提出日】平成27年7月21日(2015.7.21)
【手続補正１】
【補正対象書類名】特許請求の範囲
【補正対象項目名】全文
【補正方法】変更
【補正の内容】
【特許請求の範囲】
【請求項１】
インターネットに接続された１つ以上の医療装置と遠隔装置との間の通信を提供するシステムであって、
前記１つ以上の医療装置のうちの１つ以上に結合された少なくとも１つのインタフェース回路であって、無線データ接続を用いて医療装置データを送信することが可能な少なくとも１つのインタフェース回路と、
少なくとも第１の中継モジュールおよび第２の中継モジュールであって、前記中継モジュールのそれぞれは、無線中継モジュールのメッシュネットワークを形成するように無線で結合されている、少なくとも第１、第２および第３の中継モジュールと
を備え、
前記少なくとも３つの中継モジュールのそれぞれは、
前記無線データ接続を介して医療装置データを無線で受信することが可能な第１の受信器と、
前記無線中継モジュールのメッシュネットワークを介して医療装置データを第２の無線中継モジュールに無線で送信することが可能な第１の送信器と、
インターネットアクセス可能な無線通信ネットワークを介してデータを無線で送信することが可能な第２の送信器と、
前記インターネットアクセス可能な無線通信ネットワークが前記第２の送信器によってアクセス可能であるかどうかを判断するために前記第２の送信器に結合され、かつ、前記インターネットアクセス可能な無線通信ネットワークが前記第２の送信器によってアクセス可能でない場合に、前記医療装置データを前記無線中継モジュールのメッシュネットワークを介して前記少なくとも３つの中継モジュールのうちの別の中継モジュールに送信するために前記第１の送信器に結合されたプロセッサと
を含む、システム。
【請求項２】
前記プロセッサは、
前記インターネットアクセス可能な無線通信ネットワークのステータスを判断し、前記ステータスが特定の基準を満たす場合に、医療装置データを前記第２の送信器により送信することと、
前記ステータスが前記特定の基準を満たさない場合に、前記医療装置データを前記無線中継モジュールのメッシュネットワークと通信する前記第１の送信器により送信することと
を行うように構成されている、請求項１に記載のシステム。
【請求項３】
指示および／またはデータを前記インターネットアクセス可能な無線通信ネットワークから受信することが可能な第２の受信器をさらに備え、前記第１の送信器は、前記指示および／またはデータを前記少なくとも１つの医療装置に送信することがさらに可能である、請求項１に記載のシステム。
【請求項４】
前記少なくとも３つの中継モジュールのそれぞれは、
前記プロセッサに電気的に接続されたメモリをさらに備え、
前記メモリは、前記医療装置のそれぞれの１つに向けられた前記受信された指示および／またはデータをバッファリングすることが可能であり、前記プロセッサは、前記医療装置の前記それぞれの１つへの前記指示および／またはデータの送信の順序および／または優先権を制御する、請求項３に記載のシステム。
【請求項５】
前記中継モジュールのうちの少なくとも１つは、
前記プロセッサに電気的に接続されたメモリをさらに備え、
前記メモリは、前記医療装置のそれぞれの１つに向けられた前記受信された指示および／またはデータをバッファリングすることが可能であり、前記プロセッサは、前記医療装置の全てまたは前記医療装置のサブセットへの前記指示および／またはデータの送信を制御する、請求項３に記載のシステム。
【請求項６】
前記無線中継モジュールのメッシュネットワークは、ＺＩＧＢＥＥネットワークプロトコルに従って動作する、請求項１に記載のシステム。
【請求項７】
前記インターネットアクセス可能な無線通信ネットワークは、モバイル通信ネットワークである、請求項１に記載のシステム。
【請求項８】
前記モバイル通信ネットワークは、ＣＤＭＡまたはＧＳＭ（登録商標）ベースのネットワークである、請求項７に記載のシステム。
【請求項９】
前記インタフェース回路は、
前記無線中継モジュールのメッシュネットワークを介して前記医療装置データを無線で送信することが可能な送信器
を備える、請求項１に記載のシステム。
【請求項１０】
前記インタフェース回路は、
前記１つ以上の医療装置のうちの少なくとも１つによる実行のために、前記無線中継モジュールのメッシュネットワークを介して指示を無線で受信することが可能な受信器
をさらに備える、請求項１に記載のシステム。
【請求項１１】
前記無線中継モジュールのメッシュネットワーク内の少なくとも１つの中継モジュールは、
（１）前記無線中継モジュールのメッシュネットワークの前記アクセスステータスと、
（２）前記１つ以上の医療装置の装置ステータスと、
（３）前記中継モジュール内の前記第１の送信器および前記第２の送信器のそれぞれの前記接続ステータスと
のうちの少なくとも２つに基づいて、前記無線中継モジュールのメッシュネットワークのアクセスステータスを判断することが可能であり、かつ、データ送信のために前記第１の送信器または前記第２の送信器を選択するために前記アクセスステータスを前記プロセッサに提供することが可能である、請求項１に記載のシステム。
【請求項１２】
システムであって、
少なくとも１つの医療装置であって、前記少なくとも１つの医療装置のそれぞれは、前記少なくとも１つの医療装置のそれぞれに結合された少なくとも１つのインタフェース回路を有し、前記少なくとも１つのインタフェース回路のそれぞれは、前記少なくとも１つの医療装置のうちの少なくとも１つから医療装置データを受信するように構成されており、前記少なくとも１つのインタフェース回路のそれぞれは、無線データ接続を用いて前記少なくとも１つの医療装置のそれぞれに提供された医療装置データを送信するように構成されている、少なくとも１つの医療装置と、
少なくとも３つの中継モジュールであって、前記少なくとも３つの中継モジュールのそれぞれは、それぞれのインタフェース回路を介して前記少なくとも１つの医療装置のそれぞれに無線で接続されており、その結果、前記少なくとも３つの中継モジュールのそれぞれと、前記少なくとも１つの医療装置のうちの少なくともいくつかとは、無線メッシュ中継ネットワークを形成し、前記無線メッシュ中継ネットワークを介して、前記少なくとも３つの中継モジュールのそれぞれは、前記インタフェース回路のうちの１つ以上によって送信された医療装置データを無線で受信することが可能であり、少なくとも１つの中継モジュールは、前記無線メッシュ中継ネットワークのアクセスステータスを判断することが可能であり、かつ、データ送信のための無線通信経路を選択することが可能であり、前記少なくとも３つの中継モジュールのうちの少なくとも１つは、それに提供されたデータをインターネットアクセス可能な無線通信ネットワークを介して送信することが可能であり、前記少なくとも３つの中継モジュールのそれぞれは、
（１）前記無線メッシュ中継ネットワークの前記アクセスステータスと、
（２）前記少なくとも１つの医療装置のそれぞれに対する装置ステータスと、
（３）インターネットアクセス可能な無線通信ネットワークに対する前記少なくとも１つの中継モジュールの接続ステータスと
のうちの少なくとも２つに基づいて、無線通信経路を選択する、少なくとも３つの中継モジュールと
を備える、システム。
【請求項１３】
前記接続ステータスは、
前記インターネットアクセス可能な無線通信ネットワークが前記無線中継モジュールによりアクセス可能であるかどうかを示す第１の接続ステータスと、
前記無線メッシュ中継ネットワークが前記無線中継モジュールによりアクセス可能であるかどうかを示す第２の接続ステータスと
を含む、請求項１２に記載のシステム。
【請求項１４】
前記中継モジュールのうちの少なくとも１つは、
前記少なくとも１つのインタフェース回路のそれぞれによって送信された医療装置データを無線で受信することが可能であり、かつ、前記無線メッシュ中継ネットワーク内の前記中継モジュールのうちの別の中継モジュールに医療装置データを無線で送信することが可能である、第１の送受信器と、
インターネットアクセス可能な無線通信ネットワークを介してデータを無線で送信可能な第２の送受信器と、
前記第１の送受信器および前記第２の送受信器に結合されたプロセッサであって、前記無線メッシュ中継ネットワークが前記中継モジュールの前記第１の送受信器によってアクセス可能であるかどうかを判断することと、前記インターネットアクセス可能な無線通信ネットワークが前記中継モジュールの前記第２の送受信器によってアクセス可能であるかどうかを判断することを行うように構成されたプロセッサと
を含む、請求項１２に記載のシステム。
【請求項１５】
前記インターネットアクセス可能な無線通信ネットワークが前記第２の送受信器によってアクセス可能でないことに応答して、前記第１の送受信器は、前記無線メッシュ中継ネットワークを含む前記少なくとも３つの中継モジュールのうちの別の中継モジュールに前記無線メッシュ中継ネットワークを介して前記医療装置データを送信する、請求項１４に記載のシステム。